(57)【要約】【課題】無線周波を利用する通信ネットワークとインターネットなどのネットワークとの間の通信を管理する方法を提供すること。【解決手段】無線周波通信ネットワークとインターネットなどのネットワークとの間はゲートウェイによってリンクされ、無線周波通信ネットワークは、  −  確立された通信に関連した、ユーザ識別子および通信識別子を含むパラメータ、または  −  失敗した接続に関連した、接続識別子およびユーザ識別子を含むパラメータ  を生成する制御メンバを備え、  一般公衆によるインターネットアクセスは、  −  生成されたパラメータを収集するステップと、  −  少なくとも１つの飽和インジケータを調整するように、収集されたパラメータを処理するステップと、  −  一般公衆タイプのアクセス提供専用の少なくとも１つのゲートウェイポート上の伝送容量指令の結果としての前記インジケータのテストステップと  によって、無線周波ネットワークから許可される。【選択図】図１
2009135916.tif 000002
【特許請求の範囲】
【請求項１】
複数の通信ポート（ＡＰＮ１、ＡＰＮ２、ＡＰＮ３）を備えたゲートウェイ（ＧＧＳＮ１）によって第１および第２のネットワーク間を互いに接続された通信事業者によって管理される第１の無線周波通信ネットワーク内のモバイル端末と、第２のネットワークとの通信を管理する方法であって、第１のネットワークが、
モバイル端末で確立された通信に関連し、それぞれが、通信するモバイル端末ユーザの少なくとも１つの識別子および通信のタイプの識別子を含むパラメータ、または
失敗した接続に関連し、それぞれが、失敗した接続のタイプの少なくとも１つの識別子および当のモバイル端末のユーザのタイプの識別子を含むパラメータ、または
第１のネットワークの種々の要素のリソースの占有量、特に第１および第２のネットワーク間のゲートウェイのそれぞれのポートのリソースの占有量に関連したパラメータ
を生成する制御メンバを備えている、通信を管理する方法であって、少なくとも、
制御メンバによって生成されたパラメータを収集するステップ（Ｅｔｐ０１）と、
少なくとも１つの飽和インジケータを調整するように、収集されたパラメータを処理するステップ（Ｅｔｐ０３）と、
前記ゲートウェイポートの中の、一般公衆タイプのアクセス提供専用の少なくとも１つのポートの伝送容量指令の結果としての前記インジケータをテストするステップ（Ｅｔｐ０４）と
を含むことを特徴とする、方法。
【請求項２】
第１のネットワークの飽和状態を示すテストステップ（Ｅｔｐ０４）の後に、収集されたパラメータまたは調整されたインジケータの分析、および一般公衆向け提供に加入している端末ユーザによる第２のネットワークへのアクセスの通信のタイプの評価を含む、飽和状態のタイプを判定するステップ（Ｅｔｐ０８）が実行されることを特徴とする、請求項１に記載の通信管理方法。
【請求項３】
飽和状態のタイプを判定するステップ（Ｅｔｐ０８）が、各通信および各失敗した接続を、そのユーザが加入している提供のタイプと照合するように、各ユーザ識別子に関連付けられた少なくとも１つの加入している提供のタイプを含むデータベースへのアクセスを含むことを特徴とする、請求項２に記載の通信管理方法。
【請求項４】
飽和状態のタイプを判定するステップ（Ｅｔｐ０８）の実行中、一般公衆向け提供を利用する端末のユーザによる第２のネットワークへのアクセスの通信のタイプ、または失敗した接続のタイプが、それぞれ、通信のタイプの識別子、または失敗した接続のタイプの識別子によって判定され、その識別子は、一般公衆タイプのアクセス提供専用のポートのアドレスを含むことを特徴とする、請求項２に記載の通信管理方法。
【請求項５】
飽和状態が、一般公衆向け提供を利用するユーザによる第２のネットワークへアクセスするタイプの通信による、他のタイプの接続に障害を起こす飽和状態に起因するものであると、飽和状態のタイプを判定するステップ（Ｅｔｐ０８）の後には、一般公衆タイプのアクセス提供専用のポートの、第２のネットワークへの伝送容量の低減を指示するステップ（Ｅｔｐ０９）が実行され、
飽和状態が、一般公衆向け提供を利用するユーザによる第２のネットワークへアクセスするタイプの通信による飽和状態に起因するものではないと、飽和状態のタイプを判定するステップ（Ｅｔｐ０８）の後には、物的リソースを評価するデバイスに第１のネットワーク内の物的リソースが不十分であることを通知するステップ（Ｅｔｐ１０）が実行されることを特徴とする、請求項２から４のいずれかに記載の通信管理方法。
【請求項６】
第１のネットワークの非飽和状態を示すテストステップ（Ｅｔｐ０４）が、その後に、一般公衆タイプのアクセス提供専用のポートの、第２のネットワークへの伝送容量の増加を指示する指令ステップ（Ｅｔｐ０６）が実行されることを特徴とする、請求項１から５のいずれかに記載の通信管理方法。
【請求項７】
一般公衆タイプのアクセス提供専用のポートで、ダウンロードタイプの通信よりＷｅｂブラウジングタイプの通信に優先権を与える優先管理機能を起動するステップを含むことを特徴とする、請求項１から６のいずれかに記載の通信管理方法。
【請求項８】
通信事業者によって管理され、無線周波を利用する第１の通信ネットワーク内にモバイル端末を有し、第１のネットワークが、第１および第２のネットワーク間の、複数の通信ポート（ＡＰＮ１、ＡＰＮ２、ＡＰＮ３）を備えたゲートウェイ（ＧＧＳＮ１）を介して第２のネットワーク（ＷＥＢ１）と通信し、第１のネットワークが、
モバイル端末で確立された通信に関連した、それぞれが、通信するモバイル端末ユーザの少なくとも１つの識別子および通信のタイプの識別子を含むパラメータ、または
失敗した接続に関連した、それぞれが、失敗した接続のタイプの少なくとも１つの識別子および当のモバイル端末のユーザの識別子を含むパラメータ、または
第１のネットワークの種々の要素のリソースの占有量、特に第１および第２のネットワーク間のそれぞれのゲートウェイポートのリソースの占有量に関連したパラメータ
を生成する制御メンバを備えている、通信システムであって、ゲートウェイのポート（ＡＰＮ１）を制御し、ネットワークの要素を管理する管理デバイス（ＯＭＣ１）によって誘導される少なくとも１本の指令回線（ＬＧ２）を有し、指令を受けるポート（ＡＰＮ１）が、一般公衆タイプのアクセス提供専用であり、
指令デバイスが、
パラメータを収集するためのモジュール（ＰＲＧＳＴＫ）と、
少なくとも１つの飽和インジケータを調整する、収集されたパラメータを処理するためのモジュール（ＰＲＧ＿ＭＡＮ）と、
第１のネットワークを満杯にしないように、または第１のネットワークの使用可能な帯域幅を完全に利用するように、一般公衆タイプのアクセス提供専用のポート（ＡＰＮ１）の転送容量を飽和インジケータと関連付けて調整する指令モジュール（ＰＲＧ＿ＣＯＭ）と
を備えることを特徴とする、通信システム。
【請求項９】
第２のネットワーク（ＷＥＢ１）がインターネットネットワークであり、インターネット通信を確立する一般公衆のユーザが、第１のネットワーク内で、ユーザによって転送されるデータをカプセル化したヘッダの特殊なマーキングにより識別可能であることを特徴とする、請求項８に記載の通信システム。
【請求項１０】
ＧＧＳＮタイプ（Ｇａｔｅｗａｙ  ＧＰＲＳ  Ｓｕｐｐｏｒｔ  Ｎｏｄｅ（ゲートウェイＧＰＲＳサポートノード））のゲートウェイ、または第１のネットワークのＧＧＳＮと第２のネットワークの間に置かれた独立したサーバを有するゲートウェイが、一般公衆タイプのアクセス提供専用のポート（ＡＰＮ１）上で、ダウンロードタイプの通信よりＷｅｂブラウジングタイプの通信に優先権を与える優先機能を起動することを特徴とする、請求項８または９に記載の通信システム。
【請求項１１】
制御メンバが、第１のネットワークの通信ノード（ＢＴ１、ＢＴ２、ＣＴＲ１、ＣＴＲ２）内に組み込まれるか、または第１のネットワーク内に組み込まれた制御プローブであることを特徴とする、請求項８から１０のいずれかに記載の通信システム。
【発明の詳細な説明】
【技術分野】
【０００１】
本発明が対象とする分野は遠隔通信である。より詳細には、より低速のビット速度容量を有する、例えば、無線周波を利用する遠隔通信ネットワークなどのネットワークからインターネットネットワークなどの高速ネットワークにアクセスを提供するための方法およびシステムに関する。
【背景技術】
【０００２】
無線周波を利用する遠隔通信ネットワークは、モバイル端末が接続されるゲートウェイを介してインターネットへのアクセスが可能である。無線周波遠隔通信ネットワークは、インターネットネットワークに利用される、非対称デジタル加入者線（ＡＤＳＬ）などの光または電気回線を使用する固定ネットワーク上のデータ速度より大幅に遅いデータ速度を容認する機器リソースに特に基づく。したがって、無線周波遠隔通信ネットワークからインターネットへの接続は、無線周波遠隔通信ネットワークを飽和状態にしないように、速度または継続時間に関して数が制限される。したがって、そのようなアクセスは、一般公衆への提供には適していない。
【０００３】
したがって、一般公衆が利用できる提供に適するような、無線周波遠隔通信ネットワークからの潜在的に無制限のインターネットアクセスの必要性がある。
【発明の概要】
【発明が解決しようとする課題】
【０００４】
本発明の目的は、一般公衆が無線周波遠隔通信ネットワークを利用してインターネットネットワークにアクセスできるようにするための通信管理の方法を提案することにより、１つまたは複数の従来技術の欠点を排除することである。
【課題を解決するための手段】
【０００５】
この目的は、複数の通信ポートを備えたゲートウェイによって第１および第２のネットワーク間を共に接続された、通信事業者によって管理され、無線周波を利用する第１の通信ネットワーク内のモバイル端末と、第２のネットワークとの通信を管理する方法によって達成され、第１のネットワークが、
モバイル端末で確立された通信に関連し、それぞれが、通信するモバイル端末ユーザの少なくとも１つの識別子および通信のタイプの識別子を含むパラメータ、または
失敗した接続に関連し、それぞれが、失敗した接続のタイプの少なくとも１つの識別子および当のモバイル端末のユーザのタイプの識別子を含むパラメータ、または
第１のネットワークの種々の要素のリソースの占有量、特に第１および第２のネットワーク間のそれぞれのゲートウェイポートのリソースの占有量に関連したパラメータ
を生成する制御メンバを備えており、方法が、少なくとも、
制御メンバによって生成されたパラメータを収集するステップと、
少なくとも１つの飽和インジケータを調整するように、収集されたパラメータを処理するステップと、
前記ゲートウェイポートの中から、一般公衆タイプのアクセス提供専用の少なくとも１つのポート上の伝送容量指令の結果としての前記インジケータをテストするステップと
を含むことを特徴としている。
【０００６】
別の態様によれば、第１のネットワークの飽和状態を示すテストステップの後に、収集されたパラメータまたは調整されたインジケータの分析、および一般公衆向け提供を利用する端末ユーザによる第２のネットワークへのアクセスの通信のタイプの評価を含む、飽和状態のタイプを判定するステップが実行される。
【０００７】
別の態様によれば、飽和状態のタイプを判定するステップは、各通信および各失敗した接続を、そのユーザが加入している提供のタイプと照合するように、各ユーザ識別子に関連付けられた少なくとも１つの加入済み提供のタイプを含むデータベースへのアクセスを含む。
【０００８】
別の態様によれば、飽和状態のタイプを判定するステップの実行中、一般公衆向け提供を利用する端末ユーザによる第２のネットワークへのアクセスの通信のタイプまたは失敗した接続のタイプは、それぞれ、通信のタイプの識別子、または失敗した接続のタイプの識別子によって判定され、その識別子は、一般公衆タイプのアクセス提供専用のポートのアドレスを含む。
【０００９】
別の態様によれば、飽和状態が、一般公衆向け提供を利用するユーザによる第２のネットワークへアクセスするタイプの通信による、他のタイプの接続に障害を起こす飽和状態に起因するものであると、飽和状態のタイプを判定するステップの後には、一般公衆タイプのアクセス提供専用のポートにおいて、第２のネットワークへの伝送容量の低減を指示するステップが実行され、
飽和状態が、一般公衆向け提供を利用するユーザによる第２のネットワークへアクセスするタイプの通信による飽和状態に起因するものではないと、飽和状態のタイプを判定するステップの後には、物的リソースを評価するデバイスに第１のネットワーク内のリソースが不十分であることを通知するステップが実行される。
【００１０】
別の態様によれば、第１のネットワークの非飽和状態を示すテストステップは、その後に、一般公衆タイプのアクセス提供専用のポートにおいて、第２のネットワークに伝送する容量の増加を指示するステップが実行される。
【００１１】
別の態様によれば、通信を管理する方法は、一般公衆タイプのアクセス提供専用のポートで、ダウンロードタイプの通信よりＷｅｂブラウジングタイプの通信に優先権を与える優先管理機能を起動するステップを含む。
【００１２】
本発明のさらなる目的は、一般公衆が無線周波遠隔通信ネットワークを利用してインターネットにアクセスできるようにする通信システムを提案することである。
【００１３】
この目的は、通信事業者によって管理され、無線周波を利用する第１の通信ネットワーク内のモバイル端末を含む通信システムによって達成され、第１のネットワークは、第１および第２のネットワーク間の複数の通信ポートを備えたゲートウェイを介して第２のネットワークと通信し、第１のネットワークは、
モバイル端末で確立された通信に関連し、それぞれが通信中のモバイル端末のユーザの少なくとも１つの識別子および通信のタイプの識別子を含むパラメータ、または
失敗した接続に関連し、それぞれが、失敗した接続のタイプの少なくとも１つの識別子および当のモバイル端末のユーザの識別子を含むパラメータ、または
第１のネットワーク内の種々の要素のリソースの占有量、特に第１および第２のネットワーク間のそれぞれのゲートウェイポートのリソースの占有量に関連したパラメータ
を生成する制御メンバを備えており、この通信システムは、ゲートウェイのポート用にネットワークのデバイス管理要素によって誘導される少なくとも１本の指令回線を有し、指令を受けるポートは、一般公衆タイプのアクセス提供専用であり、
指令デバイスは、
パラメータを収集するためのモジュールと、
少なくとも１つの飽和インジケータを調整する、収集されたパラメータを処理するためのモジュールと、
第１のネットワークを満杯にしないように、または第１のネットワークの使用可能な帯域幅を利用するように、一般公衆タイプのアクセス提供専用のポートの転送容量を飽和インジケータと関連付けて調整する指令モジュールと
を備えることを特徴としている。
【００１４】
別の態様によれば、第２のネットワークはインターネットネットワークであり、インターネット通信を確立する一般公衆のユーザは、第１のネットワーク内で、ユーザによって転送される情報をカプセル化したヘッダの特殊なマーキングにより識別可能である。
【００１５】
別の態様によれば、例えば、ＧＧＳＮタイプ（Ｇａｔｅｗａｙ  ＧＰＲＳ  Ｓｕｐｐｏｒｔ  Ｎｏｄｅ（ゲートウェイＧＰＲＳサポートノード））のゲートウェイ、または第１のネットワークのＧＧＳＮと第２のネットワークの間に置かれた独立したサーバを有するゲートウェイは、一般公衆タイプのアクセス提供専用のポート上で、ダウンロードタイプの通信よりＷｅｂブラウジングタイプの通信に優先権を与える優先機能を起動する。
【００１６】
別の態様によれば、制御メンバは、第１のネットワークの通信ノード内に組み込まれるか、または第１のネットワーク内に組み込まれた制御プローブという形である。
【００１７】
本発明、その特徴およびその利点は、開示される説明を、下記非限定の実施例として参照される図面を参照しながら読めば、より明らかになろう。
【図面の簡単な説明】
【００１８】
【図１】本発明による通信管理方法の例を示した図である。
【図２】本発明による通信管理のための例示的なデバイスを示した図である。
【図３】本発明による、２つの通信ネットワークを備えたシステムの例を示した図である。
【発明を実施するための形態】
【００１９】
ここで、本発明を、図面を参照しながら説明する。無線周波通信ネットワーク、例えば、セル電話ネットワークは、ゲートウェイＧＧＳＮ１を介して高速ネットワーク（ＷＥＢ１）、例えば、インターネットネットワークとの通信を確立するモバイル端末Ｔｅｒ０１、Ｔｅｒ０２、Ｔｅｒ０３を含んでいる。ゲートウェイＧＧＳＮ１は、複数のポートＡＰＮ１、ＡＰＮ２、ＡＰＮ３、または「Ａｃｃｅｓｓ  Ｐｏｉｎｔ  Ｎａｍｅｓ（アクセスポイント名）」とも呼ばれるアクセスポイントを備えている。無線周波通信ネットワークは、例えば、ＧＳＭタイプ（Ｇｌｏｂａｌ  Ｓｙｓｔｅｍ  ｆｏｒ  Ｍｏｂｉｌｅ  Ｃｏｍｍｕｎｉｃａｔｉｏｎｓ（広域移動通信システム））、すなわち、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ユニバーサル移動通信システム））、ＧＰＲＳ（Ｇｅｎｅｒａｌ  Ｐａｃｋｅｔ  Ｒａｄｉｏ  Ｓｅｒｖｉｃｅ（汎用パケット無線サービス））、またはさらにＨＳＰＤＡ（Ｈｉｇｈ  Ｓｐｅｅｄ  Ｄｏｗｎｌｉｎｋ  ｐａｃｋｅｔ  Ａｃｃｅｓｓ（ハイスピードダウンリンクパケットアクセス））の構成要素を備えている。
【００２０】
モバイル端末Ｔｅｒ０１、Ｔｅｒ０２、Ｔｅｒ０３は、例えば、送信局ＢＴ１、ＢＴ２との間に無線通信リンクＬＲ０１、ＬＲ０２、ＬＲ０３を確立することにより無線周波通信ネットワークに接続される。送信局ＢＴ１、ＢＴ２は、例えば、ＧＳＭ／ＧＰＲＳネットワークの場合はＢＴＳタイプ（Ｂａｓｅ  Ｔｒａｎｓｃｅｉｖｅｒ  Ｓｔａｔｉｏｎ（基地送受信局））であり、ＵＭＴＳ／ＨＳＤＰＡネットワークの場合はノードＢタイプの局である。
【００２１】
送信局ＢＴ１、ＢＴ２は、典型的には、それぞれが複数の送信局ＢＴ１、ＢＴ２を制御するコントローラ、例えば、ＣＴＲ１、ＣＴＲ２によって管理される。コントローラＣＴＲ１、ＣＴＲ２は、電気または光通信回線ＬＢ１、ＬＢ２によって、そのコントローラによって制御される送信局ＢＴ１、ＢＴ２にリンクされる。コントローラＣＴＲ１、ＣＴＲ２は、例えば、ＧＳＭネットワークの場合はＢＳＣタイプ（Ｂａｓｅ  Ｓｔａｔｉｏｎ  Ｃｏｎｔｒｏｌｌｅｒ（基地局コントローラ））でよく、ＵＭＴＳネットワークの場合はＲＮＣタイプ（Ｒａｄｉｏ  Ｎｅｔｗｏｒｋ  Ｃｏｎｔｒｏｌｌｅｒ（無線ネットワークコントローラ））のコントローラでよい。
【００２２】
コントローラＣＴＲ１、ＣＴＲ２は、例えば、インターフェースデバイスＳＧＳＮ１を介してもインターネットアクセスゲートウェイＧＧＳＮ１にリンクされる。このゲートウェイは、通信のルーティングを行うために、例えば、ルータデバイスに関連付けられる。このインターフェースデバイスは、例えば、ＳＧＳＮタイプ（Ｓｅｒｖｉｎｇ  ＧＰＲＳ  Ｓｕｐｐｏｒｔ  Ｎｏｄｅ（サービングＧＰＲＳサポートノード））であって、ＧＧＳＮタイプ（Ｇａｔｅｗａｙ  ＧＰＲＳ  Ｓｕｐｐｏｒｔ  Ｎｏｄｅ（ゲートウェイ統制ＧＰＲＳサポートノード））のゲートウェイに関連付けられる。インターフェースデバイスＳＧＳＮ１は、例えば、リンクＬＨ２を介して、例えば、各加入者について、ＩＭＳＩコード形式（Ｉｎｔｅｒｎａｔｉｏｎａｌ  Ｍｏｂｉｌｅ  Ｓｕｂｓｃｒｉｂｅｒ  Ｉｄｅｎｔｉｆｉｅｒ（国際移動加入者識別名））での加入者の国際識別名、加入者番号、および加入者がその遠隔通信事業者に加入するに際して同意したサービス提供（１つまたは複数）を含む通信管理データを保管しているデータベースＨＬＲ１と通信する。通信管理データを保管しているデータベース（ＨＬＲ１）は、例えば、ＨＬＲ（Ｈｏｍｅ  Ｌｏｃａｔｉｏｎ  Ｒｅｇｉｓｔｅｒ（ホームロケーションレジスタ））タイプである。インターフェースデバイスＳＧＳＮ１は、例えば、モバイル端末とインターネットアクセスゲートウェイとの間のパケットの転送を管理する。
【００２３】
限定的な方法ではないが、ＲＮＣタイプのコントローラが通信リンクＬＣ１、ＬＣ２を介してインターフェースデバイスＳＧＳＮ１にリンクされるか、またはパケットを使用する、ＰＣＵモジュール（Ｐａｃｋｅｔ  Ｃｏｎｔｒｏｌ  Ｕｎｉｔ（パケット制御ユニット））などの通信モジュールを備えたＢＳＣタイプのコントローラが通信リンクＬＣ１、ＬＣ２を介してインターフェースデバイスＳＧＳＮ１にリンクされる。
【００２４】
限定的な方法ではないが、コントローラとゲートウェイのインターフェース構成要素との間の通信は、１つまたは複数の中間通信構成要素を介して確立できる。例えば、ＢＳＣタイプのコントローラＣＴＲ１、ＣＴＲ２は、例えば、ルータを介してインターフェース構成要素ＳＧＳＮ１を使用してゲートウェイとの通信を確立する。ルータ構成要素は、第１に、リンクＬＣＯＭ２、ＬＣＯＭ３を介してコントローラＣＴＲ１、ＣＴＲ２にリンクされ、第２に、別のリンクＬＣ３がルータＣＯＭ１を、ゲートウェイに接続されたインターフェースデバイスＳＧＳＮ１にリンクする。
【００２５】
ゲートウェイＧＧＳＮ１は、例えば、通信リンクＬＧ１を介してインターフェースデバイスＳＧＳＮ１にリンクされ、別の通信リンクＬＨ３を介して、通信管理データを保管しているデータベース（ＨＬＲ１）にリンクされる。したがって、例えば、ＧＧＳＮタイプのゲートウェイは、通信事業者の移動ネットワークと公衆のインターネットネットワーク（ＷＥＢ１）または他の高速ネットワークとの間のインターフェースとして使用される。
【００２６】
ルータＣＯＭ１は、例えば、リンクＬＣＯＭ１、ＬＣＯＭ２を介してコントローラＣＴＲ１、ＣＴＲ２にリンクされる。また、ルータＣＯＭ１は、例えば、別の通信リンクＬＨ４を介して、通信管理データを保管しているデータベース（ＨＬＲ１）にもリンクされ、別の通信リンクＬＣ３を介してインターフェースデバイスＳＧＳＮ１にもリンクされ、別の通信リンクＬＣＯＭ１を介して管理デバイスＯＭＣ１にもリンクされる。
【００２７】
通信回線によって共にリンクされた、例えば、送信局ＢＴ１、ＢＴ２、コントローラＣＴＲ１、ＣＴＲ２、またはルータＣＯＭ１などの通信ノードは、１つまたは複数のタイプのデータ伝送プロトコルによる、複数のタイプのデータの伝送を許容している。移送されるデータは、例えば、音声データ、テキストメッセージ、マルチメディアメッセージ、管理データ、または他のタイプのデータである。通信ネットワークに、例えば、管理ネットワークが追加される。管理ネットワークは、例えば、ネットワークの通信ノードを管理デバイスにリンクする通信回線を備えていてよい。管理ネットワークの通信回線は、例えば、通信ノード間の回線と並行で敷設され、例えば、ネットワークの管理に使用されるデータの伝送専用である。
【００２８】
無線周波通信ネットワークは、例えば、電話通信に、またはＳＭＳタイプのテキストメッセージの伝送に使用される。モバイル端末ユーザは、インターネットなど、別のネットワークの端末との通信も確立できる。例えば、ＨＴＭＬタイプ（Ｈｙｐｅｒｔｅｘｔ  Ｍａｒｋｕｐ  Ｌａｎｇｕａｇｅ（ハイパーテキストマークアップ言語））のインターネットページに対応する伝送データ、またはプログラムファイル、またはＦＴＰサイト（Ｆｉｌｅ  Ｔｒａｎｓｆｅｒ  Ｐｒｏｔｏｃｏｌ（ファイル転送プロトコル））のマルチメディアファイル。例えば、種々のアクセスサービスを利用できるように、ユーザに種々の加入が提供されてよい。
【００２９】
提供への加入は、そのクライアントに提供されるサービス品質と関係がある。サービス品質は、特に、良好な状態でのデータの転送に関係する。サービス品質は、例えば、ネットワークノードの可用性、または使用可能な転送容量と比較されたデータ速度に関係する。また、サービス品質は、走行時間、またはデータおよびデータパケット消失率に関係する。決められた期間中の、１つまたは複数の送信局によってカバーされる地理的地域での接続の失敗率は、その期間中の、その地理的地域のためのサービス品質を代表するものである。
【００３０】
ネットワーク上のサービス品質の推算は、例えば、ネットワークの物的リソースが十分であるかを推定するために使用することができる。したがって、第１に、ネットワークの物的リソースを最適化することができ、第２に、ユーザに対して、種々のアプリケーションのパフォーマンスレベルを保証できる。したがって、アクセス容易性、応答時間、または接続の成功率が、決められたサービス品質どおりにクライアントに提供できる。
【００３１】
例えば、インターネットアクセス用に、差異のあるサービス品質を提供できる。例えば、第１のタイプのインターネットアクセスが、ビジネスタイプのユーザ用に非常に高い品質を保証してよい。保証されたアクセスは、例えば、２％という最大の接続失敗率と関係していてよい。ビジネスユーザは、自分のアクセス権を用いて他のネットワークにアクセスすることができる。例えば、データベースにアクセスしたり、電子メールを受信したりすることができる。
【００３２】
第２のタイプのインターネットアクセスが、一般公衆タイプが使用するための平均品質サービスを保証してよい。一般公衆によるそのようなアクセスは、例えば、「ベストエフォート」タイプであってよい。いわゆる「ベストエフォート」のアクセスは、例えば、無線周波通信ネットワーク内で、使用されない帯域幅を提供することに相当する。個人ユーザまたは一般公衆のユーザは、例えば、マルチメディアファイルまたはコンピュータプログラムもしくはパイロットをダウンロードするために、または情報ページをサーフィン（Ｗｅｂブラウジングとも呼ばれる）するためにインターネットを使用するだろう。
【００３３】
無線周波通信ネットワーク内に備えられた通信ノードまたは測定プローブは、例えば、ネットワークが動作状態にあるとき、データを伝送できる。そのようなデータは、例えば、通信ノードを介して、または管理ネットワークを使用して伝送される。限定的な方法ではないが、そのようなデータは、例えば、次に示すようなパラメータを用いて伝送される。
回線または通信ノードの、最大転送容量と比較した場合の使用率
ネットワーク内の測定地点で通信を生成するユーザの数、ユーザのタイプおよび通信のタイプ
接続失敗率、失敗した接続のタイプ、および関連ユーザのタイプ
上記の情報は、第１のネットワーク内の種々のレベルで収集される。
第１の収集レベルは、例えば、無線基地局ＢＴ１、ＢＴ２・・・であってよい。
第２の収集レベルは、例えば、基地局のコントローラＣＴＲ１、ＣＴＲ２であってよい。
第３のレベルは、例えば、ＳＧＳＮレベルであってよい。
第４のレベルは、例えば、ＧＧＳＮレベルであってよい。
【００３４】
通信ノードまたはプローブなどの制御メンバによって伝送される情報は、例えば、各メンバ間で、または１つまたは複数のデータベースＶＬＲ１、ＨＬＲ１から取り出された情報と相互参照されてよい。情報処理は、例えば、データを収集して、例えば、ファイルに、またはネットワークパラメータのデータベースＢＤ１に保管することができる管理デバイスＯＭＣ１によって実行される。ネットワークパラメータデータベースのフィールドは、例えば、次のとおりである。
このパラメータを生成する制御メンバの識別子
測定または計算されたパラメータの名前
パラメータの状態に応じた１つまたは複数の値
【００３５】
第１のデータベース、すなわち、テーブルは定期的に更新される。２つの更新の間の時間間隔は、関連の種々のノードおよび回線の動作容量と関連付けて計算される。デバイスが正常に機能するためには、１時間ごとに数回の更新が必要である。
【００３６】
この第１のテーブルに加えて、管理デバイスＯＭＣ１は、ネットワークノードを相互に関連付けたネットワークノードの接続階層、特に、無線基地局とコントローラの接続、コントローラとＳＧＳＮとの接続を記載したテーブルが備えられている。
【００３７】
限定的な方法ではないが、例えば、ＯＭＣタイプ（Ｏｐｅｒａｔｉｏｎ  ａｎｄ  Ｍａｉｎｔｅｎａｎｃｅ  Ｃｅｎｔｅｒ（オペレーションおよびメンテナンスセンタ））の管理デバイスは、例えば、パラメータの読み取りを行い、計算されたインジケータを、決められた方法を用いて調整する計算器（ＰＭ１）に関連付けられる。例えば、この計算器は、ネットワークの状態またはパフォーマンスを表すインデックスを判定するために、収集されたネットワークパラメータを用いてデータを処理する。
【００３８】
管理デバイスは、例えば、品質基準（接続失敗率、失敗した接続のタイプ）が固定のしきい値を超えた無線基地局のパーセンテージの数値を評価するために使用される。管理デバイスは、ネットワーク全体に対するビジネスタイプのユーザの接続失敗率を評価するために使用できる。したがって、通信事業者が特定のタイプの優先ユーザに提供したい保証されたサービス品質に応じて、多数の判断基準を決めることができる。
【００３９】
管理デバイスは、例えば、ネットワーク上の認定データ速度に対応する物的要求を評価するために使用できる。このようにして、ネットワークの物的アーキテクチャは、要求、すなわち、ユーザに提供されるサービスを満たすように改善できる。要求は、保証されたサービスに対応する。接続は、保証されたデータ速度または転送品質を与えられて確立され、例えば、エラーしきい値が容認される。エラーは、例えば、失敗した接続、またはデータ消失が発生する劣化した通信に対応する。したがって、エラーしきい値を考慮に入れてサービス品質を保証するためには、通信回線上のデータ速度の計算、または通信ノード上のデータ速度の計算に関して余裕が必要である。ネットワークのサイズ変更は、例えば、決められた期間には最大の占有量に備えるように設計され、その期間中は、保証されたサービスは確実に実行できる。
【００４０】
さらに、ネットワーク容量の最大占有量については、いわゆる「ベストエフォート」の提供は、最大アクセス期間外でも、ネットワークの任意の地点で、使用可能な帯域幅が使用されることを許可し、それによって、ネットワークのコスト効果を上げることができる。
【００４１】
また、最大占有量を得るためのこのタイプの「ベストエフォート」の提供は、いわゆる一般公衆向け提供に使用することができ、インターネットアクセスは潜在的に無制限になる。一般公衆用のインターネットの使用は、大量のデータフローを必要とする可能性があるので、実際には、多数の接続の提供が必要である。これらの接続を管理すると、一般公衆用のインターネットアクセス提供がネットワークの帯域幅を飽和状態にすることなく確実に行えるようになる。飽和状態になると、結果的に、使用可能なサービスの品質が永続的に低下する。
【００４２】
例えば、定期的な間隔でネットワークパラメータの収集を実行すると、帯域幅が飽和状態になったか、または帯域幅の一部が使用可能で残っているかを判定することができる。ネットワークに大きい需要が発生すると、すなわち、ネットワークの帯域幅が完全に使用されると、管理デバイスＯＭＣ１またはその関連の計算器ＰＭ１は、インターネットアクセスゲートウェイＧＧＳＮ１に、「ベストエフォート」の提供に関連付けられているインターネットアクセスポートＡＰＮ１のデータ速度を下げるように指示を送る。このようにして、「ベストエフォート」のサービス提供のデータフローが低減されて、無線周波通信ネットワーク上の負荷が軽減される。例えば、このタイプの「ベストエフォート」の提供に加入している端末は一般公衆向け提供に対応するので、これらの端末は、インターネットアクセスゲートウェイの決められたポートに関連付けられる。このポートは、特別に、いわゆる「ベストエフォート」の提供、すなわち一般公衆向け提供によるインターネットアクセス専用である。
【００４３】
ビジネスタイプのサービス提供に関連付けられた端末は、例えば、インターネットアクセスゲートウェイＧＧＳＮ１の他のポートＡＰＮ３に関連付けられる。したがって、いわゆる「ベストエフォート」のサービス用のインターネットアクセスＡＰＮ１ポート上のデータフローの低減は、ビジネス向け提供のデータ速度には影響を与えない。この低減は帯域幅の一部を解放し、さらにはビジネス向けサービス提供用のインターネットアクセスポートＡＰＮ３での動作の改善が可能になる。また、帯域幅が解放されると、無線周波通信ネットワークの他のサービス、例えば、音声の伝送、テキストメッセージの伝送、または通信事業者によって提供されるマルチメディアポータルへのアクセスのための動作の改善が可能になる。通信事業者のサービス提供は、例えば、モバイル端末のＳＩＭカードに、またはＨＬＲまたはＶＬＲネットワークデータベースに保管されているデータによって判定される。
【００４４】
このように説明されたデバイスは、無線周波通信ネットワークにクライアントごとのサービス品質またはサービスタイプごとのサービス品質間にエンドツーエンドの差異をもたらす固有のデバイスがなくても、そのネットワークの占有量の最適化が可能であることに留意されたい。
【００４５】
一般公衆向け提供専用のポートの制御は、例えば、管理ネットワークの既存の通信回線によって伝送され、ＧＧＳＮ１ゲートウェイに送られる。ゲートウェイインターフェースデバイスＳＧＳＮ１は、決められた数のメッセージを要求の形、または要求への応答の形で伝達し、例えば、モバイル端末から発信された、決められた数のメッセージを拒否することができ、次いで、そのモバイル端末は、エラーの通知または接続失敗の通知を受信する。また、ゲートウェイＧＧＳＮ１は、インターネットネットワークの端末とモバイル端末の間で決められた数のメッセージを伝送し、他の通信は、例えば、インターネット端末にエラーの通知または接続失敗の通知を送信することにより拒否する。
【００４６】
ネットワークの帯域幅が完全に使用されていない場合、管理デバイスは、ゲートウェイＧＧＳＮ１に、例えば、「ベストエフォート」のサービス提供専用のインターネットアクセスポートＡＰＮ１によるデータ速度を上げるように指示を送る。限定的な方法ではないが、この増加は、ネットワークを完全に利用するように、使用可能な帯域幅と関連付けて計算される。したがって、無線周波通信ネットワークへのアクセスが少ない期間中は、一般公衆向けインターネット接続の提供用に大きい帯域幅が使用可能になる。いわゆる「ベストエフォート」のインターネットアクセス提供を受容しているユーザは、例えば、大きいサイズのプログラムまたはコンピュータファイルをダウンロードするために、インターネット接続を、終日、アクティブのままにするだろう。所望のファイル（１つまたは複数）の転送では、中断が１回または複数回発生し、データ転送は、保証された不変のサービス品質を利用する通信によって無線周波通信ネットワークがほとんど使用されていない期間に行われる。したがって、いわゆる「ベストエフォート」のサービス提供を受容しているユーザが大きいサイズのファイルをダウンロードしている間に、保証された不変のサービス品質に加入しているユーザが妨害されることはない。
【００４７】
このようにして、インターネット通信のデータ速度は、「ベストエフォート」のサービス提供に基づく場合、ネットワークの使用可能な帯域幅に応じて下げることができる、または上げることができる。さらに、「ベストエフォート」のインターネット通信による飽和状態は、これらの特定の接続要求を識別することにより、考慮に入れられる。「ベストエフォート」タイプのメッセージの識別は、例えば、インターネットアクセスゲートウェイ（ＧＧＳＮ１）内のアドレス指定されたポート（ＡＰＮ１）と関連付けて行われるか、またはユーザが、例えば、通信管理データを保管しているデータベースＨＬＲ１から取り出された情報と相互参照することにより加入のタイプを判定するために使用されるＩＭＳＩによって識別される。したがって、管理デバイスは、例えば、これらの接続の数または量が無視できる程度なので、飽和状態は「ベストエフォート」のインターネット接続が原因ではないと判定することができる。この場合、管理デバイスは、ネットワークの飽和状態は、通信ネットワーク内の物的リソースの不足が原因であると判定する。したがって、ネットワーク管理デバイスは、「ベストエフォート」の接続を規制すると同時に、物的リソースの必要性を分析する。
【００４８】
限定的な方法ではないが、容量が可変な転送を行う接続に専用のポートは、第１にＷｅｂブラウジングタイプの通信を認可し、次にＦＴＰサイト（Ｆｉｌｅ  Ｔｒａｎｓｆｅｒ  Ｐｒｏｔｏｃｏｌ（ファイル転送プロトコル））からのダウンロードなどのバックグラウンドの通信を認可する優先機能に関連付けられる。優先機能は、例えば、データ転送アプリケーションプロトコルの署名認識に基づき、それにより、ゲートウェイが優先順位付けプロセスを制御できるようにする。このようにして、インターネットとの一般公衆向けアクセスの通信全体の中で、ある通信が他の通信より高い優先順位を有する。例えば、ＨＴＭＬタイプのインターネットページへのアクセスは、インターネットをブラウジングするとき、対話を行うために迅速性が必要である。インターネットページは、ＦＴＰサイトからダウンロードされるオーディオまたはビデオファイルに比べると、実際には僅かな量である。したがって、マルチメディアファイルの転送は、オンラインブラウジングの利益のために中断されることがある。
【００４９】
通信を管理するためのデバイスは、図２に示されているように、限定的な方法ではないが、通信回線Ｌ１を介して、メモリ構成要素ＭＥＭならびに入力および出力ポートを有する通信インターフェースＢ１、Ｂ２、Ｂ３と通信する処理構成要素Ｔ１を備えている。限定的な方法ではないが、管理デバイスＯＭＣ１は、通信ポートを介してネットワークの他の構成要素と通信する多機能モジュールを備えているか、または通信管理デバイスＯＭＣ１は、対話しあう複数のユニットを備えていて、分析の機能、保管、または指令は、例えば、個別の固有のユニットによって実行される。
【００５０】
ここで、無線周波通信ネットワーク内で通信を管理するデバイスによって実施される方法の例を説明する。この方法は、例えば、対話しあう、複数のプログラムまたはモジュールに基づいており、環境上の条件の変化に応じて、または相互に呼び出すことにより、起動される。パラメータを収集するステップ（Ｅｔｐ０１）は、例えば、ネットワークパラメータを収集して保管するモジュール（ＰＲＧ＿ＳＴＫ）によって実行される。このモジュールは、例えば、常駐メモリプログラムＭＥＭを備えている。例えば、このプログラムは、通信ポートＢ１宛てのデータを収集し、このデータは、例えば、収集および保管モジュールＰＲＧ＿ＳＴＫのバッファメモリに保管される。収集されるデータは、例えば、通信ネットワークのノードから、プローブから、またはネットワークに配置されている他の制御メンバから取り出される。限定的な方法ではないが、ネットワークの制御メンバは、定期的に、例えば、１５分ごとにデータを送信する。限定的な方法ではないが、データは、種々のメンバによって同期的または非同期的に送信される。
【００５１】
ネットワーク動作パラメータを表すデータのセットを受信（Ｃｏｎｄ０１）した後、収集および保管モジュールＰＲＧ＿ＳＴＫは、例えば、受信されたパラメータと関連付けて調整された、決められたフィールドを含むデータベースＢＤ０１内で分類および保管ステップを実行する。すべての受信されたパラメータは、このデータベースＢＤ１内に配置される。収集および保管プログラムを実行すると、例えば、データベースＢＤ０１へのメモリ書き込みアクセスが促される。限定的な方法ではないが、次いで、バッファメモリが、他のネットワークパラメータを表す新しいデータを受信できるように空にされる。
【００５２】
受信されて、データベースに保管されたパラメータを分類（Ｃｏｎｄ０２）した後、データ処理および、例えば、インジケータ調整モジュールＰＲＧ＿ＭＡＮを用いて、そのデータを処理するステップ（Ｅｔｐ０３）が実行される。処理モジュールは、例えば、別の調整可能なインジケータを備えていてよい。
【００５３】
限定的な方法ではないが、処理モジュールＰＲＧ＿ＭＡＮは、例えば、収集されたパラメータのデータベース、または無線周波通信ネットワークのアーキテクチャを記載しているデータベースなど、別のデータベースに保管されているデータの相互処理を実行する１つまたは複数の処理プログラムを備えている。限定的な方法ではないが、これらの処理プログラムは、ネットワークが飽和状態になっているか、または帯域幅が完全に使用されているか、容量未満であるかを判定するために、しきい値について比較動作を行う。例えば、これらの処理プログラムは、複数の同等のパラメータに対して手段の計算または統計的計算を行う。
【００５４】
実行される処理は、特に、ネットワークの動作状況を表すインジケータの調整を含む。
【００５５】
第１のタイプの処理は、例えば、データトランザクションを開くときの失敗が固定のしきい値を超えた基地局のパーセンテージ数の計算に関してよい。アクセスポイントの局所的な飽和状態がネットワークの数個の特定のポイント上のスペースについてであることが突き止められた場合、このインジケータは、「ベストエフォート」の加入者専用のポート上の第１レベルのフロー制御を示す。
【００５６】
第２のタイプの処理は、例えば、ネットワーク内のデータ伝送セッションの活動化に関する、全域にわたる失敗のパーセンテージの計算に関する。この処理は、ビジネスタイプのユーザ用の保証されたレベルが確かでなくなるとすぐに（または、「通信事業者の好みまたは公約」対「クライアント」に応じて、直前に）、「ベストエフォート」タイプのユーザ専用のポートに認可されているデータ速度の調整を許可する。
【００５７】
第３のタイプの処理は、ＳＧＳＮなど、特定のネットワークノードに接続されている加入者の数に関する容量、またはＧＧＳＮ上の同時接続の数が、他のタイプの加入者に優先権を与える観点から、前記機器の容量を超えるとすぐに、「ベストエフォート」タイプのユーザ専用のポートを調整すること、または閉じることを含んでよい。
【００５８】
上述の処理動作はデバイスの容量に関して限定的なものではなく、通信事業者が「ベストエフォート」のクライアント以外のクライアント、特にビジネスクライアントとの間で交わしたサービス品質の公約を満たすように調整できることを理解されたい。
【００５９】
１つまたは複数のインジケータを調整（Ｃｏｎ０３）した後、指令モジュールＰＲＧ＿ＣＯＭによって、引き続いてインジケータテストステップが実行されてよい。テストされたインジケータに関連付けて、指令プログラムは、例えば、ネットワークが飽和状態になっているか（Ｃｏｎｄ０４２）、またはネットワークは、まだ、いくらかの空き帯域幅を有しているか（Ｃｏｎｄ０４１）を判定できる。限定的な方法ではないが、これらのテストは、パラメータが通信管理デバイスＯＭＣ１に送信されたネットワークの全部または一部に関する。飽和状態または部分的な空き帯域幅状態は、例えば、全体として分析されたネットワーク、またはネットワーク内の、おそらく考慮に入れられない特定の現象に関連付けられた、隔離されたポイントに関する。
【００６０】
（Ｃｏｎｄ０４１）において、帯域幅の一部が使用されていない場合、指令モジュールは、使用可能なリソースを分析するために分析ステップ（Ｅｔｐ０５）を実行してよい。ステップ（Ｅｔｐ０５）は、例えば、帯域幅の使用されていない部分が、「ベストエフォート」のユーザに認可されているデータ速度の増加を許可する（Ｃｏｎｄ０５１）か、または（Ｃｏｎｄ０５２）使用可能な帯域幅の余裕が無視できる程度のもので、適切な動作を保証するための安全上の余裕を表すにすぎないのかを判定するための、１つまたは複数のインジケータに対する計算を含む。
【００６１】
（Ｃｏｎｄ０５２）余裕が無視できる程度であるか、または動作上の余裕に相当する場合、ネットワークは十分に使用されているので、インターネットアクセスゲートウェイＧＧＳＮ１上の「ベストエフォート」のユーザ専用のポートにおけるデータ速度の調整は変更されないままであり、ゲートウェイに同一の指令が送信されるか、またはこのポートのデータ速度を調整するための指令は送信されない。限定的な方法ではないが、ネットワークパラメータに関するデータを収集するために、ステップ（Ｅｔｐ０１）にホップが行われてよい。指令モジュールＰＲＧ＿ＣＯＭは、新規インジケータテストが実行されるのを待ってスタンバイ状態にされ、収集および保管モジュールＰＲＧ＿ＳＴＫは、それ自身を、データを収集するためにスタンバイ状態にする。
【００６２】
また、指令プログラムも、ゲートウェイＧＧＳＮ１に、その状態を維持するための指令を送信（Ｅｔｐ０７）し、この指令は、通信ポートＢ３を介してゲートウェイに送信される。その状態を維持するための指令をゲートウェイに送信（Ｃｏｎｄ０７）した後、ネットワークパラメータに関するデータを受信するために、ステップ（Ｅｔｐ０１）にホップが行われてよい。
【００６３】
使用可能なリソースを分析するステップ（Ｅｔｐ０５）の結果が、使用されていない帯域幅の一部が追加通信に使用できることを示している場合（Ｃｏｎｄ０５１）、指令モジュールＰＲＧ＿ＣＯＭは、例えば、「ベストエフォート」の提供専用のポートＡＰＮ１の転送容量を増やすための指令メッセージをゲートウェイに送信する。この指令メッセージは、例えば、管理デバイスの通信ポートＢ３によって、通信回線（ＬＧ２）を介して送信される。この指令を送信（Ｃｏｎｄ０６）した後、データ収集ステップ（Ｅｔｐ０１）にホップが行われてよい。
【００６４】
インジケータテストステップ（Ｅｔｐ０４）において、結果がネットワークの飽和状態を示している（Ｃｏｎｄ０４２）場合には、指令モジュールＰＲＧ＿ＣＯＭは、例えば、ネットワーク飽和状態のタイプを判定するためにステップ（Ｅｔｐ０８）を実行する。このステップ（Ｅｔｐ０８）は、例えば、収集されたパラメータまたは調整されたインジケータを考慮に入れた、「ベストエフォート」のサービス提供に対応する通信量の評価を含んでよい。
【００６５】
「ベストエフォート」のサービス提供による使用量の評価は、例えば、ネットワークが飽和状態の場合、いわゆる「ベストエフォート」のユーザによる使用量が多すぎるときに、「ベストエフォート」のサービス提供専用のポートＡＰＮ１での転送容量の低減を指示するために使用できる。したがって、「ベストエフォート」のサービス提供に割り振られている帯域幅は、ネットワークの可用性と関連付けて調整できる。
【００６６】
「ベストエフォート」のユーザによる飽和状態が検出（Ｃｏｎｄ０８１）されると、例えば、「ベストエフォート」の提供専用のポートにおけるデータ速度の低減を指示するステップ（Ｅｔｐ０９）が指令モジュールによって実行できる。このポートのデータ速度の低減を指示する指令メッセージは、例えば、１つまたは複数の通信回線を介してゲートウェイＧＧＳＮ１に送信される。このメッセージを送信（Ｃｏｎｄ０９）した後、パラメータ収集ステップ（Ｅｔｐ０１）にホップが行われてよい。
【００６７】
また、ネットワークの飽和状態の場合に、「ベストエフォート」のユーザによる使用量の評価（Ｅｔｐ０８）は、永久アクセス提供を満たすために物的リソースは十分であるかを判定するためにも使用できる。伝送されるデータは、例えば、永久アクセス提供についての接続失敗の決められた数を表し、この数は、例えば、「ベストエフォート」のサービス提供に認可される接続の数より多い。すなわち、「ベストエフォート」に提供される接続の数は、永久アクセス提供に対応する、種々の接続要求と比較すると、無視できる程度である。この場合（Ｃｏｎｄ０８２）、管理デバイスは、「ベストエフォート」の提供に割り振られているリソースを考慮に入れずに、またはそれらを差し引いた後で、すべての要求された接続を満たすには物的リソースが不足していると判定できる。物的リソースの不足を通知する後続のステップ（Ｅｔｐ１０）は、例えば、指令モジュールによって実行される。物的リソースの不足を通知するメッセージは、物的リソースを評価するデバイス、例えば、別の管理デバイスに、または別の通信管理モジュールに送信される。限定的な方法ではないが、物的リソースの不足が検出されると、「ベストエフォート」のサービス提供専用のポートＡＰＮ１を切断するための指令メッセージがゲートウェイＧＧＳＮ１に送信される。通知メッセージを送信（Ｃｏｎｄ１０）した後、および、任意で、「ベストエフォート」のサービス提供専用のポートＡＰＮ１の切断指令の後、ネットワークパラメータを収集するためにステップ（Ｅｔｐ０１）に戻ってよい。
【００６８】
ネットワークの使用量を評価するステップ（Ｅｔｐ０８）は、「ベストエフォート」の提供に関連付けられた通信によって使用される帯域幅の評価を含む。限定的な方法ではないが、これらの通信は、「ベストエフォート」の提供専用のゲートウェイポートのアドレスによって識別される。次いで、この専用ポートに送信されたメッセージが識別され、このアドレスは、例えば、このメッセージによって占有されたリソースを表すパラメータに組み込まれる。
【００６９】
限定的な方法ではないが、これらのパラメータは、サービスアクセスの特性を表すデータ、例えば、最大許容データ速度、または各ユーザに関連付けられた優先クラスなども含んでよい。これらのパラメータは、例えば、管理デバイス内のデータベースＢＤ１の、通信データ速度またはこの通信によって占有されるリソースを表すデータに関連したフィールドに保管されてよい。このようにして、モジュールＰＲＧ＿ＭＡＮは、例えば、インターネットにアクセスするためのユーザの加入タイプを判定することができる。
【００７０】
限定的な方法ではないが、インターネットアクセスゲートウェイに「ベストエフォート」のサービス提供専用のポートにおけるデータ速度の調整を指示するステップ（Ｅｔｐ０６、Ｅｔｐ０９、Ｅｔｐ１０）の後に、通信のタイプに応じた優先機能を起動するステップが実行される。通信タイプに応じた優先機能は、「ベストエフォート」のサービス提供に関連付けられたすべての通信の間で、特に、優先基準に応じて通信を編成するために使用される。複数の優先度が与えられてよい。したがって、帯域幅の一部分が「ベストエフォート」の提供に割り振られると、第２の通信管理動作は、このデータフローの内側で実行される。優先機能は、例えば、ダウンロードに相当する、いわゆる「バックグラウンド」動作より先に、Ｗｅｂブラウジングに対応する通信に優先権を与える。
【００７１】
１つの限定的ではない実施形態によれば、ゲートウェイＧＧＳＮ１は、種々の優先順位に応じて制御される複数のポートを備えている。第１のポートＡＰＮ２は、例えば、Ｗｅｂブラウジング用の「ベストエフォート」の提供に対応する。第２のポートは、例えば、ダウンロードに相当するバックグラウンドの通信用に予約される。第３のポートは、例えば、最高の優先順位のインターネットアクセスに対応する。第１のポートは、例えば、動作ロジックを満たすために、第２のポートより高い優先順位を有してよい。
【００７２】
複数のインターネットアクセスポート間の優先順位は、したがって、ユーザの加入に関連付けて、通信管理データを保管しているデータベースＨＬＲ１に応じて管理できる。したがって、ユーザに対して種々のサービス提供ができる。
【００７３】
限定的な方法ではないが、対応する提供に関連付けられた通信は、通信管理データを保管しているデータベースＨＬＲ１を相互参照することにより、何らかの不正または通信エラーの可能性を検出するために使用される。さらに、通信管理デバイスＯＭＣ１を通信のアーカイビングスペースに関連付けることができ、このアーカイビングスペースを使用して、例えば、統計的調査のために通信の履歴を知ることができる。
【００７４】
当業者には、本発明は、請求項に記載されている発明の適用の範囲から逸脱することなく、多くの他の固有の形式での実施形態が可能であることが明らかであろう。したがって、本明細書の実施形態は、添付の特許請求の範囲によって定義された領域内で変更することが可能な例示として解釈されるべきであり、それらは、上記の詳細によって限定されると考えるべきではない。
【符号の説明】
【００７５】
ＡＰＮ１、ＡＰＮ２、ＡＰＮ３  通信ポート
Ｂ１、Ｂ２、Ｂ３  通信インターフェース
ＢＤ０１、ＨＬＲ１、ＶＬＲ１  データベース
ＢＴ１、ＢＴ２、ＣＴＲ１、ＣＴＲ２  通信ノード
ＣＯＭ１  ルータ
Ｃｏｎｄ０１  受信
Ｃｏｎｄ０２  分類
Ｃｏｎｄ０３  調整
Ｃｏｎｄ０４１  ネットワークがいくらかの空き帯域幅を有している
Ｃｏｎｄ０４２  ネットワークが飽和状態になっている
Ｃｏｎｄ０５１  データ速度の増加を許可する
Ｃｏｎｄ０５２  使用可能な帯域幅の余裕が無視できる
Ｃｏｎｄ０６、Ｃｏｎｄ０７  指令の送信
Ｃｏｎｄ０８１  検出
Ｃｏｎｄ０８２  接続の数が無視できる
Ｃｏｎｄ０９、Ｃｏｎｄ１０  メッセージの送信
Ｅｔｐ０１  パラメータを収集するステップ
Ｅｔｐ０３  パラメータを処理するステップ
Ｅｔｐ０４  インジケータをテストするステップ
Ｅｔｐ０５  使用可能なリソースを分析するステップ
Ｅｔｐ０６  第２のネットワークへの伝送容量の増加を指示する指令ステップ
Ｅｔｐ０７  指令を送信するステップ
Ｅｔｐ０８  飽和状態のタイプを判定するステップ
Ｅｔｐ０９  第２のネットワークへの伝送容量の低減を指示するステップ
Ｅｔｐ１０  第１のネットワーク内の物的リソースが不十分であることを通知するステップ
ＧＧＳＮ１  ゲートウェイ
Ｌ１、ＬＢ１、ＬＢ２  通信回線
ＬＣ１、ＬＣ２、ＬＣ３、ＬＧ１  通信リンク
ＬＣＯＭ１、ＬＯＣＭ２、ＬＣＯＭ３、ＬＨ１、ＬＨ２、ＬＨ３、ＬＨ４  リンク
ＬＧ２  指令回線
ＬＲ０１、ＬＲ０２、ＬＲ０３  無線通信リンク
ＭＥＭ  メモリ構成要素
ＯＭＣ１  管理デバイス
ＰＭ１  計算器
ＰＲＧ＿ＣＯＭ  指令モジュール
ＰＲＧ＿ＭＡＮ  パラメータを処理するためのモジュール
ＰＲＧ＿ＳＴＫ  パラメータを収集するためのモジュール
ＳＧＳＮ１  インターフェースデバイス
Ｔ１  処理構成部品
Ｔｅｒ０１、Ｔｅｒ０２、Ｔｅｒ０３  モバイル端末
ＷＥＢ１  第２のネットワーク
【図１】
2009135916.tif 000003
【図２】
2009135916.tif 000004
【図３】
2009135916.tif 000005
【外国語明細書】
2009135916.tif 000006
2009135916.tif 000007
2009135916.tif 000008
2009135916.tif 000009
2009135916.tif 000010
2009135916.tif 000011
2009135916.tif 000012
2009135916.tif 000013
2009135916.tif 000014
2009135916.tif 000015
2009135916.tif 000016
2009135916.tif 000017
2009135916.tif 000018
2009135916.tif 000019
2009135916.tif 000020
2009135916.tif 000021
2009135916.tif 000022
2009135916.tif 000023
2009135916.tif 000024
2009135916.tif 000025
2009135916.tif 000026
2009135916.tif 000027
2009135916.tif 000028
2009135916.tif 000029
2009135916.tif 000030
2009135916.tif 000031
2009135916.tif 000032
2009135916.tif 000033